(57)【要約】【課題】簡易な構成でありながらも、所定の防火性能を有する防火サッシ、開口部構造及び建物を提供する。【解決手段】ガラス板２及びガラス板２を保持する障子枠３を有する障子４と、障子４の周囲を取り囲んで支持するサッシ枠５と、を備える防火サッシ１であって、障子枠３及びサッシ枠５の少なくとも何れか一方に、ガラス板２の熱膨張による面内方向変形に追従して変形可能な変形許容部３ｃ、３ｄ、５ｃ、５ｄが設けられていることを特徴とする。【選択図】図１
2019173390.tif 000002
【特許請求の範囲】
【請求項１】
ガラス板及び該ガラス板を保持する障子枠を有する障子と、
前記障子の周囲を取り囲んで支持するサッシ枠と、を備える防火サッシであって、
前記障子枠及び前記サッシ枠の少なくとも何れか一方に、前記ガラス板の熱膨張による面内方向変形に追従して変形可能な変形許容部が設けられていることを特徴とする防火サッシ。
【請求項２】
前記変形許容部は、前記障子枠に設けられた空洞部に隣接する障子枠側壁と、前記サッシ枠に設けられた空洞部に隣接するサッシ枠側壁と、のうち少なくとも何れか一方を有し、
前記空洞部には、前記変形許容部を支持して前記面内方向変形を抑制する他の部材が設けられていない、請求項１に記載の防火サッシ。
【請求項３】
前記変形許容部は、前記障子枠及び前記サッシ枠にそれぞれ設けられている、請求項１または２に記載の防火サッシ。
【請求項４】
請求項１〜３の何れか一項に記載の防火サッシを備える建物の開口部構造であって、前記サッシ枠に設けられた空洞部は、前記サッシ枠と建物の躯体の一部とにより区画形成されている、開口部構造。
【請求項５】
請求項１〜３の何れか一項に記載の防火サッシと、他の非防火サッシとを備える建物であって、
前記防火サッシと前記非防火サッシとは、障子枠及びサッシ枠の少なくとも何れかの断面形状が同一である、建物。
【発明の詳細な説明】
【技術分野】
【０００１】
本発明は、建物開口部に設置され、所定の防火性能を有する防火サッシ、並びに、当該防火サッシを備える開口部構造及び建物に関する。
【背景技術】
【０００２】
従来、建物外周壁に設けられる窓等の開口部には、例えば、ガラス板及びガラス板を保持する障子枠を有する障子と、当該障子を取り囲んで支持するサッシ枠と、を備えたサッシが設置される。
【０００３】
ここで、通常の非防火サッシの場合、火災が発生した際には、ガラス板を含む障子の熱膨張により、障子とサッシ枠との間で捻れ等の変形が生じ、当該変形に起因して障子とサッシ枠との間に隙間が生じる虞がある。このような隙間が生じると、火災の炎が当該隙間を通して建物の内外を貫通してしまうという問題がある。
【０００４】
このような問題に対して、火災発生時に炎を遮り、火災の延焼を防止することが可能な、所定の防火性能を有する防火サッシが知られている。防火サッシとしては、火災発生時の熱膨張に起因する枠部材の捻れ変形を抑制するため、ガラス板の厚みを大きくして強度を高めたり、障子枠及びサッシ枠の内部に、補強用の鋼材を配置して枠の強度を高めたりしたものが知られている。このように、サッシにおける各部材の強度を高めることで、各部材の間に隙間が生じて炎が貫通してしまうことを防止することができる。
【０００５】
また、樹脂製の防火サッシにおいては、中空としたサッシ枠内の空洞部分に耐火材及び型鋼部材を挿入配置したものや（特許文献１参照）、サッシ枠の空洞部分に、熱硬化性を有する粒子状又は粉末状の耐熱性組成物を充填する方法が提案されている（特許文献２参照）。
【先行技術文献】
【特許文献】
【０００６】
【特許文献１】特開２００５−９３０４号公報
【特許文献２】特開２０１１−１５３５１９号公報
【発明の概要】
【発明が解決しようとする課題】
【０００７】
しかしながら、上記のような防火サッシにおいては、障子枠またはサッシ枠に補強用の鋼材を設けたり、サッシ枠の内部に耐火材、型鋼部材を挿入配置したり、あるいはサッシ枠の内部に耐熱性組成物等を充填したりしなければならず、製造に手間が掛かる複雑な構成であった。
【０００８】
それゆえ本発明は、簡易な構成でありながらも、所定の防火性能を有する防火サッシ、開口部構造及び建物を提供することを目的とするものである。
【課題を解決するための手段】
【０００９】
本発明は、上記課題を解決するためになされたものであり、本発明の防火サッシは、ガラス板及び該ガラス板を保持する障子枠を有する障子と、
前記障子の周囲を取り囲んで支持するサッシ枠と、を備える防火サッシであって、
前記障子枠及び前記サッシ枠の少なくとも何れか一方に、前記ガラス板の熱膨張による面内方向変形に追従して変形可能な変形許容部が設けられていることを特徴とするものである。
【００１０】
なお、本発明の防火サッシにあっては、前記変形許容部は、前記障子枠に設けられた空洞部に隣接する障子枠側壁と、前記サッシ枠に設けられた空洞部に隣接するサッシ枠側壁と、のうち少なくとも何れか一方を有し、
前記空洞部には、前記変形許容部を支持して前記面内方向変形を抑制する他の部材が設けられていないことが好ましい。
【００１１】
また、本発明の防火サッシにあっては、前記変形許容部は、前記障子枠及び前記サッシ枠にそれぞれ設けられていることが好ましい。
【００１２】
また、本発明の開口部構造は、上記の何れかの防火サッシを備える建物の開口部構造であって、前記サッシ枠に設けられた空洞部は、前記サッシ枠と建物の躯体の一部とにより区画形成されていることを特徴とするものである。
【００１３】
また、本発明の建物は、上記の何れかの防火サッシと、他の非防火サッシとを備える建物であって、
前記防火サッシと前記非防火サッシとは、障子枠及びサッシ枠の少なくとも何れかの断面形状が同一であることを特徴とするものである。
【発明の効果】
【００１４】
本発明によれば、簡易な構成でありながらも、所定の防火性能を有する防火サッシ、開口部構造及び建物を提供することができる。
【図面の簡単な説明】
【００１５】
【図１】本発明の一実施形態としての防火サッシ及び開口部構造を備える建物の一部を示す水平断面図である。
【発明を実施するための形態】
【００１６】
以下、本発明の一実施形態について、図面を参照して詳細に説明する。
【００１７】
図１は、本発明の一実施形態としての防火サッシ１を有する開口部構造１０の一部を示す水平断面図である。ここで、防火サッシ１は、所定の防火性能を有する所謂「防火戸」であり、例えば建築基準法等の法令に規定される「特定防火設備」または「防火設備」を構成するものである。まず、図１に示す防火サッシ１を有する開口部構造１０を備える建物の一例について説明する。
【００１８】
本実施形態の建物は、例えば鉄骨造の軸組みを有する２階建ての住宅であり、鉄筋コンクリート造の基礎と、柱や梁などの軸組部材で構成された軸組架構を有し、基礎に固定された上部構造体と、で構成される。なお、軸組架構を構成する軸組部材は、予め規格化（標準化）されたものであり、予め工場にて製造されたのち建築現場に搬入されて組み立てられる。
【００１９】
上部構造体の軸組架構は、複数の柱及び複数の梁などから構成されている。軸組架構の外周部には、外周壁を構成する外装材等が配置される。また、軸組架構の層間部には、床部を構成する床スラブ材等が配置される。床スラブ材としては、例えば、ＡＬＣパネルを用いることできるが、折板、押出成形セメント板、木質パネル材などの別の部材を用いてもよい。さらに、軸組架構の上部には、陸屋根を構成する屋根床スラブ材等が配置される。屋根床スラブ材についても、ＡＬＣパネルを用いることができるが、ＡＬＣパネルに限られるものではない。
【００２０】
建物の外周壁は、例えば、表面側に防水層としての塗膜が形成された軽量気泡コンクリート（ＡＬＣ）からなるパネル状の外装材を連接されて構成された外部仕上げ層と、例えば、フェノールフォーム等の発泡樹脂系のパネル状の断熱材を外装仕上げ層の内面に沿って連接されて構成された断熱層と、石膏ボートと石膏ボード表面に貼設された壁クロス等の仕上げ材とで構成された内部仕上げ層と、を備えたものとすることができるが、この構成に限定されるものではない。外周壁は、少なくとも所定の防火、防水性能を有している。
【００２１】
防火サッシ１は、ガラス板２及び障子枠３を有する障子４と、障子４を支持するサッシ枠５とを備える。ガラス板２は、例えばガラスを矩形板状に形成したものである。なお、本例の障子４は、間隔を空けて配置された２枚のガラス板２を有する複層ガラス構造としているが、これに限られず、１枚または３枚以上のガラス板２を有する構成としてもよい。
【００２２】
障子枠３は、ガラス板２の周囲を取り囲んでガラス板２を保持する、例えば正面視矩形状の枠である。障子枠３は、略平行に配置された前壁３ａ及び後壁３ｂを有する。前壁３ａ及び後壁３ｂは、ガラス板２を前後方向（表裏方向）の両側から挟むように配置されてガラス板２を支持する。また、障子枠３は、前壁３ａと後壁３ｂの間で、ガラス板２に近接して配置される内側壁３ｃ（障子枠側壁）と、内側壁３ｃに対向する外側壁３ｄ（障子枠側壁）とを有する。障子枠３は、前壁３ａ、後壁３ｂ、内側壁３ｃ及び外側壁３ｄで構成される角筒状の中空筒部３ｅを有し、中空筒部３ｅの内部に空洞部３ｆが形成されている。
【００２３】
障子枠３は、アルミニウムなどの金属からなる構成とすることができるが、これに限られず、他の金属もしくは所定の強度を有する樹脂からなる構成としてもよい。また、障子枠３は、材料の異なるまたは同一材料の複数の部材を組み合わせて構成してもよい。
【００２４】
サッシ枠５は、障子４の周囲を取り囲んで、障子４を支持することができる。サッシ枠５は、左右の縦枠に、上下の横枠が枠組みされて構成される。なお、図１に示すサッシ枠５は縦枠である。サッシ枠５は、建物における開口部の内周縁に沿って設置され、障子４とともに開口部構造１０の一部を構成する。開口部構造１０は、例えば障子４及びサッシ枠５に加えて、サッシ枠を建物の躯体１１に接続するための接続部材、サッシ枠を補強するための補強枠部材、サッシ枠の室内側に配置され装飾性、意匠性を付与する内装材、室外側に配置される外装材、あるいは、断熱性、止水性、防火性等を高めるための他の部材等を備えることができる。
【００２５】
サッシ枠５は、建物の構造躯体としての柱または梁に直接、又は他の部材を介して間接的に設置される。図１に示すサッシ枠５は、前壁５ａ、後壁５ｂ、内側壁５ｃ（サッシ枠側壁）及び外側壁５ｄ（サッシ枠側壁）で構成される角筒状の本体部５ｅを有し、本体部５ｅの内部に空洞部５ｆが形成されている。
【００２６】
また、サッシ枠５は、内側壁５ｃから内側に突出する支持板５ｇと、外側壁５ｄから外側に突出する突出板部５ｈとを有する。支持板５ｇは、障子枠３の後壁３ｂに近接配置され、障子４の後方（室内側）への移動を規制する。突出板部５ｈは、建物の躯体１１に対してねじ等の締結部材により固定することができる。
【００２７】
なお、防火サッシ１は、例えば、サッシ枠５の内側に２枚の障子４をスライド可能に保持する引き違い形式の構造としてもよいし、４方の枠の一辺側に設けられたヒンジを支点とする揺動変位により開閉可能な内開き又は外開き形式の構造としてもよいし、障子４を開閉不能とした、所謂はめ殺し形式の構造としてもよい。
【００２８】
サッシ枠５は、アルミニウムなどの金属からなる構成とすることができるが、これに限られず、他の金属もしくは所定の強度を有する樹脂からなる構成としてもよい。また、サッシ枠５は、材料の異なるまたは同一材料の複数の部材を組み合わせて構成してもよい。
【００２９】
なお、本例では、障子枠３の外側壁３ｄに、第１補強材６がねじ等により固定されており、外側壁３ｄに対向するサッシ枠５の内側壁５ｃに、第２補強材７がねじ等により固定されている。第１補強材６及び第２補強材７は、断面がＬ字状の形材で構成され、それぞれ障子枠３およびサッシ枠５の軸方向に沿うように配置されている。また、第１補強材６は、外側壁３ｄに垂直となるように配置される平板状のフランジ部６ａを有し、第２補強材７は、５ｃに垂直となるように配置される平板状のフランジ部７ａを有する。第１補強材６及び第２補強材７の形状及び取付け位置は適宜変更可能である。また、第１補強材６及び第２補強材７は、必須の構成ではない。
【００３０】
第１補強材６と第２補強材７とは、第１補強材６のフランジ部６ａと第２補強材７のフランジ部７ａとが近接する位置に、相互に平行となるように配置される。第２補強材７のフランジ部７ａは、第１補強材６のフランジ部６ａの前方（室外側）への移動を規制することができる。また、火災発生時には、第２補強材７のフランジ部７ａと、第１補強材６のフランジ部６ａとが係合して、障子４及びサッシ枠５の捻れ変形を抑制することができる。すなわち、このような第１補強材６と第２補強材７を設けることにより、障子４とサッシ枠５との間で隙間が生じることをより確実に防止することができる。
【００３１】
ここで、本例では、障子枠３の中空筒部３ｅを構成する内側壁３ｃ及び外側壁３ｄは、空洞部３ｆに隣接して配置されており、ガラス板２の熱膨張による面内方向変形に追従して変形可能な変形許容部を構成している。なお、ガラス板２の面内方向とは、ガラス板２の厚み方向に直交する方向であり、ガラス板２の表面に平行な方向である。
【００３２】
また、サッシ枠５の本体部５ｅを構成する内側壁５ｃ及び外側壁５ｄは、空洞部５ｆに隣接して配置されており、ガラス板２を含む障子４の熱膨張による面内方向変形に追従して変形可能な変形許容部を構成している。
【００３３】
火災発生時において、熱によりガラス板２が面内方向に膨張変形した場合、ガラス板２の端部（内側壁３ｃ側の端面）が内側壁３ｃに当接して当該内側壁３ｃを空洞部３ｆ側に押圧する。内側壁３ｃは、図１に二点鎖線で示すように、空洞部３ｆ側に撓むように変形して、ガラス板２の膨張変形を吸収することができる。また、ガラス板２の面内方向の膨張、及び、障子枠３自体の熱膨張により障子枠３がサッシ枠５側に移動し、第１補強材６と第２補強材７とが当接する。その結果、図１に二点鎖線で示すように、外側壁３ｄは空洞部３ｆ側に押されて空洞部３ｆ側に撓むように変形する。このとき、外側壁３ｄに対向する内側壁５ｃも同様に、空洞部５ｆ側に押されるため、図１に二点鎖線で示すように、空洞部５ｆ側に撓むように変形する。さらに、外側壁５ｄも、障子４と躯体１１との間に挟まれることで空洞部５ｆ側に押されて、図１に二点鎖線で示すように、空洞部５ｆ側に撓むように変形する。このように、ガラス板２の面内方向における障子４の膨張変形を、障子枠３及びサッシ枠５の変形許容部で吸収することができる。したがって、障子４がサッシ枠５に強く当接することで障子枠３及びサッシ枠５が捻れ変形することを防止することができるので、障子４とサッシ枠５との間に隙間が生じることを防止することができる。
【００３４】
以上のように、本実施形態の防火サッシ１にあっては、火災時の熱等でガラス板２及び障子枠３を含む障子４が膨張した場合でも、障子４とサッシ枠５との間に隙間が生じることを防止することができる。すなわち、本実施形態の防火サッシ１によれば、火災発生時に炎を遮断して延焼を防ぐことが可能な、所定の防火性能を発揮することができる。また、障子枠３及びサッシ枠５の内部に他の補強部材または熱硬化材等を配置する必要がないため、構成も簡易で製造も容易となる。さらに、強度を高めて熱膨張を抑制するためにガラス板２の板厚を厚くする必要もないため、ガラス板２の薄肉化が可能となり、防火サッシ１全体として軽量化を図ることができる。
【００３５】
なお、本例では、障子枠３及びサッシ枠５にそれぞれ変形許容部を設けているが、何れか一方のみでもよい。すなわち、障子枠３に変形許容部を設けた場合には、サッシ枠５に空洞部５ｆを設けなくてもよいし、逆に、サッシ枠５に変形許容部を設けた場合には、障子枠３に空洞部３ｆを設けなくてもよい。
また、部材の構成を簡易化して製造にかかる手間やコストを低減する観点から、障子枠３の空洞部３ｆ及びサッシ枠５の空洞部５ｆには、変形許容部を支持して面内方向変形を抑制する他の部材が設けられていないことが好ましい。すなわち、空洞部３ｆ及び空洞部５ｆには、他の部材が何も配置されていないことが望ましいが、これに限られず、空洞部３ｆ及び空洞部５ｆの少なくとも何れかに、補強用又は防火性向上等を目的とした他の部材を配置してもよい。
【００３６】
また、熱膨張によるガラス板２及び障子枠３を含む障子４の面内方向変形を吸収して防火性の低下を抑制するという本願発明の効果を高める観点から、本実施形態のように、障子枠３及びサッシ枠５の両方に、それぞれ変形許容部を設けることが好ましい。
【００３７】
また、本発明の防火サッシ１を備えた建物の開口部構造１０において、サッシ枠５に設けられた空洞部５ｆは、サッシ枠５と建物の躯体１１の一部により区画形成してもよい。すなわち、例えばサッシ枠５の外側壁５ｄの一部を間欠させて間欠部を形成し、躯体１１で当該間欠部を塞ぐようにして空洞部５ｆを区画形成してもよい。このような構成により、サッシ枠５に設けた間欠部の分だけ、サッシ枠５を軽量化することができる。
【００３８】
また、本発明の防火サッシ１を備えた建物において、防火サッシ１とは別に、所定の防火性を有していない非防火サッシを備える場合、防火サッシ１と非防火サッシとが、障子枠３及びサッシ枠５の少なくとも何れかの断面形状（部材の軸方向に垂直な横断面の形状）が同一であることが好ましい。このように、防火サッシ１及び非防火サッシに、断面形状が同一となる部材を使用することにより、建物に使用する部材の種類を削減することができるので、建設コストを低減することができる。
【００３９】
本発明に係る防火サッシ、開口部構造及び建物は、上述した実施形態の構成に限定されるものではなく、特許請求の範囲で記載された内容を逸脱しない範囲で、様々な構成により実現することが可能である。例えば、障子枠３及びサッシ枠５の断面形状は図１示す例に限定されるものではなく、障子枠３及びサッシ枠５の少なくとも何れかに、ガラス板２の熱膨張による面内方向変形に追従して変形可能な変形許容部が設けられていれば、それぞれの断面形状は変更可能である。また、障子枠３の中空筒部３ｅ及びサッシ枠５の本体部５ｅは、必ずしも全周にわたって閉じた筒形状でなくてもよく、周方向の一部が間欠した形状であってもよい。
【符号の説明】
【００４０】
１：防火サッシ
２：ガラス板
３：障子枠
３ａ：前壁
３ｂ：後壁
３ｃ：内側壁（変形許容部、障子枠側壁）
３ｄ：外側壁（変形許容部、障子枠側壁）
３ｅ：中空筒部
３ｆ：空洞部
４：障子
５：サッシ枠
５ａ：前壁
５ｂ：後壁
５ｃ：内側壁（変形許容部、サッシ枠側壁）
５ｄ：外側壁（変形許容部、サッシ枠側壁）
５ｅ：本体部
５ｆ：空洞部
５ｇ：支持板
５ｈ：突出板部
６：第１補強材
６ａ：フランジ部
７：第２補強材
７ａ：フランジ部
１０：開口部構造
１１：躯体
【図１】
2019173390.tif 000003